(57)【要約】【課題】浴槽エプロン部固定用壁パネルに浴槽のエプロン部が接続された際の衝撃によって大きな衝撃音が発生してしまう恐れがなく、新たに手間やコストが掛かってしまうことがなく、浴槽エプロン部固定用壁パネルの屈曲部が破損してしまうことを抑制することができる、浴室内で隣接する壁パネルと浴槽エプロン部固定用壁パネルとの取付構造を提供する。【解決手段】樹脂製浴槽エプロン部固定用壁パネルの屈曲部及び延出部は、金属製壁パネルの屈曲部及び延出部より、厚く形成された。【選択図】図５
2016160605.tif 000002
【特許請求の範囲】
【請求項１】
支柱部材に取り付けられた、浴室内で隣接する金属製壁パネルと樹脂製浴槽エプロン部固定用壁パネルとの取付構造であって、
前記支柱部材は、前記金属製壁パネル及び前記樹脂製浴槽エプロン部固定用壁パネルの隣接部の裏側に位置する奥面部と、前記奥面部からそれぞれの壁パネル側に向けて延出する一対の側面部と、を有する中空柱状に形成され、
前記金属製壁パネル及び前記樹脂製浴槽エプロン部固定用壁パネルの側端部は、浴室に臨む面の反対面側に折り曲げられてなる突部と、前記突部の先端に続いて設けられて前記突部の外側に向かって折り曲げられた屈曲部と、前記屈曲部に続いて設けられてそれぞれの壁パネル側に向けて延出する延出部と、をそれぞれ有し、
前記屈曲部は、一対の前記側面部からそれぞれの延出部が近づき合う方向へ押圧する力を受けた際に、前記延出部が前記突部から離れるように弾性力を発揮し、
前記金属製壁パネル及び前記樹脂製浴槽エプロン部固定用壁パネルは、一対の前記側面部から、それぞれの延出部が近づき合う方向へ押圧する力を受けることで、それぞれの突部が近づき合う方向へ押圧され、当接し、前記弾性力によって前記支柱部材に取り付けられ、
前記樹脂製浴槽エプロン部固定用壁パネルの前記屈曲部及び前記延出部は、前記金属製壁パネルの前記屈曲部及び前記延出部より、厚く形成されたことを特徴とする浴室内で隣接する金属製壁パネルと樹脂製浴槽エプロン部固定用壁パネルとの取付構造。  
【請求項２】
前記樹脂製浴槽エプロン部固定用壁パネルは、前記樹脂製浴槽エプロン部固定用壁パネルの前記側端部と略均一の厚さで形成されており、
前記樹脂製浴槽エプロン部固定用壁パネルの前記延出部を押圧する前記側面部は、前記金属製壁パネルの前記延出部を押圧する前記側面部より、前方にある壁パネルより離れた位置にあることを特徴とする請求項１に記載の浴室内で隣接する壁パネルと浴槽エプロン部固定用壁パネルとの取付構造。  
【発明の詳細な説明】
【技術分野】
【０００１】
本発明の態様は、浴室内で隣接する壁パネルと浴槽エプロン部固定用壁パネルとの取付構造に関する。
【背景技術】
【０００２】
近年、浴室内で隣接する一組の壁パネルが、支柱部材に取り付けられた浴室壁パネルの取付構造の技術が知られている。
【０００３】
特許文献１では、浴室内で隣接する一組の壁パネルが、支柱部材に取り付けられた浴室壁パネルの取付構造であって、支柱部材は、一組の壁パネルの隣接部の裏側に位置する奥面部と、奥面部から壁パネル側に向けて延出する一対の側面部と、を有する中空柱状に形成され、壁パネルの側端部は、浴室に臨む面の反対面側に折り曲げられてなる突部と、突部の先端に続いて設けられて突部の外側に向かって折り曲げられた屈曲部と、屈曲部に続いて設けられてそれぞれの壁パネル側に向けて延出する延出部と、をそれぞれ有する浴室壁パネルの取付構造が記載されている。屈曲部は、一対の側面部からそれぞれの延出部が近づき合う方向へ押圧する力を受けた際に、延出部が突部から離れるように弾性力を発揮する。そして、一組の壁パネルは、一対の側面部から、それぞれの延出部が近づき合う方向へ押圧する力を受けることで、それぞれの突部が近づき合う方向へ押圧され、当接し、そして、屈曲部による弾性力によって側面部と延出部が当接することで、支柱部材に取り付けられている。
【０００４】
また、浴室内で隣接する壁パネルと、浴槽のエプロン部が当接されることで浴槽本体を隠蔽するフランジ部が延設された浴槽エプロン部固定用壁パネルと、の取付構造においても、特許文献１に記載されているような取付構造が知られている。なお、浴槽エプロン部固定用壁パネルは、フランジ部と浴槽のエプロン部とが当接した際に、フランジ部より浴槽本体に近い部分が浴槽のエプロン部によって隠蔽され、フランジ部より浴槽本体から離れた部分が浴室内に設けられ、浴室内の壁の一部を形成する壁パネルのことを指す。
【先行技術文献】
【特許文献】
【０００５】
【特許文献１】特開２００８−１６３６３２号公報
【発明の概要】
【発明が解決しようとする課題】
【０００６】
従来、浴槽のエプロン部が接続される浴槽エプロン部固定用壁パネルは金属製であったが、その場合、浴槽エプロン部固定用壁パネルのフランジ部に浴槽のエプロン部が接続された際の衝撃によって、大きな衝撃音が発生してしまう恐れがある。浴槽エプロン部固定用壁パネルと浴槽のエプロン部とが当接する位置には、止水用のパッキンが介在されることもあるが、その場合においても、パッキンによる緩衝作用は十分ではないため、浴槽エプロン部固定用壁パネルのフランジ部に浴槽のエプロン部が接続された際の衝撃によって、大きな衝撃音が発生してしまう恐れがある。この衝撃音を軽減するためには、浴槽エプロン部固定用壁パネルのフランジ部における浴槽のエプロン部が当接する位置を部分的に樹脂製のものにすれば良いが、金属製の浴槽エプロン部固定用壁パネルを部分的に樹脂製のものにすると、金属部分と樹脂部分との間に止水のためのコーキング作業等を行う必要があるため、新たに手間やコストが掛かってしまう。これらの問題を解決するためには、浴槽エプロン部固定用壁パネル全体を、金属より緩衝作用があることから衝撃音が発生しづらい樹脂製のものとすれば良い。しかし、浴室を構成する壁パネルは浴室の強度を担保する必要があることから金属製であるため、浴室を構成する壁パネルと浴槽エプロン部固定用壁パネルとを取り付けるということは、金属製の壁パネルと樹脂製の壁パネルとを取り付けることとなる。
【０００７】
一般的に、樹脂製の部材は、金属製の部材より、剛性が低い。このため、特許文献１に記載された浴室壁パネルの取付構造で金属製の壁パネルと樹脂製の浴槽エプロン部固定用壁パネルとを取り付けると、浴槽エプロン部固定用壁パネルの延出部は、金属製の壁パネルの延出部へ近づく方向へ押圧する力（押圧力）を受けた際に、剛性の高い金属製の壁パネルの延出部と比べ、屈曲部がより屈曲しやすいため、受けた押圧力を突部へ伝えにくい。一方、金属製の壁パネルの延出部は、浴槽エプロン部固定用壁パネルの延出部へ近づく方向へ押圧する力（押圧力）を受けると、剛性の低い浴槽エプロン部固定用壁パネルの延出部と比べ、屈曲部が変形しにくく、受けた押圧力を突部へ伝えやすいため、浴槽エプロン部固定用壁パネルの延出部及び金属製の壁パネルの延出部が同じ押圧力を支柱の側面部から受けた際に、浴槽エプロン部固定用壁パネルの突部が、金属製の壁パネルの突部から力を受け、浴槽エプロン部固定用壁パネルの延出部に近づく方向へ傾いてしまう恐れがあった。さらに、浴槽エプロン部固定用壁パネルの延出部は側面部から押圧されているため、樹脂製の浴槽エプロン部固定用壁パネルの側端部が金属製の壁パネルの突部と支柱部材の側面部との間で押しつぶされ、浴槽エプロン部固定用壁パネルの屈曲部が破損してしまう恐れがある。
【０００８】
本発明は、かかる課題の認識に基づいてなされたものであり、浴槽エプロン部固定用壁パネルに浴槽のエプロン部が接続された際の衝撃によって大きな衝撃音が発生してしまう恐れがなく、新たに手間やコストが掛かってしまうことがなく、浴槽エプロン部固定用壁パネルの屈曲部が破損してしまうことを抑制することができる、浴室内で隣接する壁パネルと浴槽エプロン部固定用壁パネルとの取付構造を提供することを目的とする。
【課題を解決するための手段】
【０００９】
第１の発明は、支柱部材に取り付けられた、浴室内で隣接する金属製壁パネルと樹脂製浴槽エプロン部固定用壁パネルとの取付構造であって、前記支柱部材は、前記金属製壁パネル及び前記樹脂製浴槽エプロン部固定用壁パネルの隣接部の裏側に位置する奥面部と、前記奥面部からそれぞれの壁パネル側に向けて延出する一対の側面部と、を有する中空柱状に形成され、前記金属製壁パネル及び前記樹脂製浴槽エプロン部固定用壁パネルの側端部は、浴室に臨む面の反対面側に折り曲げられてなる突部と、前記突部の先端に続いて設けられて前記突部の外側に向かって折り曲げられた屈曲部と、前記屈曲部に続いて設けられてそれぞれの壁パネル側に向けて延出する延出部と、をそれぞれ有し、前記金属製壁パネル及び前記樹脂製浴槽エプロン部固定用壁パネルは、一対の前記側面部から、それぞれの延出部が近づき合う方向へ押圧する力を受け、それぞれの突部が近づき合う方向へ押圧され、当接することで、前記支柱部材に取り付けられ、前記樹脂製浴槽エプロン部固定用壁パネルの前記屈曲部及び前記延出部は、前記金属製壁パネルの前記屈曲部及び前記延出部より、厚く形成されたことを特徴とする浴室内で隣接する壁パネルと浴槽エプロン部固定用壁パネルとの取付構造である。
この浴室内で隣接する壁パネルと浴槽エプロン部固定用壁パネルとの取付構造によれば、樹脂製浴槽エプロン部固定用壁パネルの屈曲部及び延出部は、金属製壁パネルの屈曲部及び延出部より、厚く形成されたため、樹脂製浴槽エプロン部固定用壁パネルの屈曲部及び延出部の剛性が高くなり、樹脂製浴槽エプロン部固定用壁パネルの延出部が金属製壁パネルの延出部へ近づく方向へ押圧する力（押圧力）を受けた際に、受けた押圧力を突部へ伝えやすくなるため、浴槽エプロン部固定用壁パネルの突部が、浴槽エプロン部固定用壁パネルの延出部に近づく方向へ傾いてしまうことを抑制する。その結果、浴槽エプロン部固定用壁パネルの延出部が側面部から押圧された際にも、樹脂製の浴槽エプロン部固定用壁パネルの側端部が金属製の壁パネルの突部と支柱部材の側面部との間で押しつぶされにくくなり、浴槽エプロン部固定用壁パネルの屈曲部が破損してしまうことを抑制できる。また、このことにより、浴槽エプロン部固定用壁パネルを樹脂製とすることができるため、浴槽エプロン部固定用壁パネルに浴槽のエプロン部が接続された際の衝撃によって大きな衝撃音が発生してしまう恐れがない。さらに、このことより、浴槽エプロン部固定用壁パネル全体を樹脂製とすることができるため、浴槽エプロン部固定用壁パネルを部分的に金属製、樹脂製にする必要がなく、金属部分と樹脂部分との間に止水のためのコーキング作業等を行うことがないため、新たに手間やコストが掛かることがない。
【００１０】
第２の発明は、第１の発明において、樹脂製浴槽エプロン部固定用壁パネルの前記延出部を押圧する前記側面部は、前記金属製壁パネルの前記延出部を押圧する前記側面部より、前方にある壁パネルより離れた位置にあることを特徴とする浴室内で隣接する壁パネルと浴槽エプロン部固定用壁パネルとの取付構造である。
この浴室内で隣接する壁パネルと浴槽エプロン部固定用壁パネルとの取付構造によれば、樹脂製浴槽エプロン部固定用壁パネルは、樹脂製浴槽エプロン部固定用壁パネルの側端部と略均一の厚さで形成されているため、樹脂製浴槽エプロン部固定用壁パネルの厚みを部分的に変更する必要がなく、製造しやすい。また、この際、樹脂製浴槽エプロン部固定用壁パネルの延出部を押圧する側面部は、金属製壁パネルの延出部を押圧する側面部より、前方にある壁パネルより離れた位置にあるため、金属製壁パネルより厚く形成された樹脂製浴槽エプロン部固定用壁パネルが側面部に当接してしまうことで金属製壁パネルより浴室内側へ大きく突出してしまうことを防ぐことができる。
【発明の効果】
【００１１】
本発明の態様によれば、浴槽エプロン部固定用壁パネルに浴槽のエプロン部が接続された際の衝撃によって大きな衝撃音が発生してしまう恐れがなく、新たに手間やコストが掛かってしまうことがなく、浴槽エプロン部固定用壁パネルの屈曲部が破損してしまうことを抑制することができる、浴室内で隣接する壁パネルと浴槽エプロン部固定用壁パネルとの取付構造が提供される。
【図面の簡単な説明】
【００１２】
【図１】本発明の一実施形態に係る浴室洗い場を備えた浴室ユニットを示す模式的斜視図である。
【図２】図１の浴槽エプロン部を外した状態の浴槽ユニットを示す模式的斜視図である。
【図３】図２の樹脂製浴槽エプロン部固定用壁パネルを示す模式的斜視図である。
【図４】図２の浴槽エプロン部を外した状態の樹脂製の第７の壁パネル周辺を拡大して示す模式的斜視図である。
【図５】図４の樹脂製の第７の壁パネル周辺を拡大して示す模式的正面図である。
【図６】支柱部材に取り付けられた樹脂製の第７の壁パネルと隣接する金属製の第２の壁パネルとの接合部を示す模式的断面図である。
【発明を実施するための形態】
【００１３】
以下、本発明の実施の形態について図面を参照しつつ説明する。なお、各図面中、同様の構成要素には同一の符号を付して詳細な説明は適宜省略する。  
【００１４】
（浴室ユニット１００について）
図１は、本発明の一実施形態に係る浴室洗い場を備えた浴室ユニットを示す模式的斜視図である
図２は、図１の浴槽エプロン部を外した状態の浴槽ユニットを示す模式的斜視図である。
図３は、図２の樹脂製浴槽エプロン部固定用壁パネルを示す模式的斜視図である。
図４は、図２の浴槽エプロン部を外した状態の樹脂製浴槽エプロン部固定用壁パネルを拡大して示す模式的斜視図である。
図５は、図４の樹脂製浴槽エプロン部固定用壁パネル周辺を拡大して示す模式的平面図である。
図６は、支柱部材に取り付けられた樹脂製浴槽エプロン部固定用壁パネルと、隣接する金属製壁パネルと、の接合部分を示す模式的平面図である。
図１〜６を用いて、本発明の一実施形態における浴室ユニットにおける金属製パネルと樹脂製浴槽エプロン部固定用壁パネルの取付構造について説明する。
【００１５】
図１及び図２に示すように、浴室ユニット１００は、例えば樹脂製の浴槽１と、浴室洗い場２と、を備える。浴槽１の底部裏面における四隅近傍には、支持脚４が設けられ、その支持脚４を介して、浴槽１は浴室設置面（例えば、建物の床）Ｓの上に設置される。支持脚４は、支持脚４に接続されたボルトを回転させることで高さ調節可能な構造を有する。
【００１６】
浴室洗い場２は、その床面を形成する床部６と、その立壁面を形成する壁パネル８と、を有する。床部６は、周縁部が上側に折り曲げられた浅底の器状（パン状）に形成されている。床部６は、ボルトを回転させることで高さ調節可能な構造を有する支持脚１０を介して浴室設置面Ｓ上に設置されている。なお、本願明細書において「水」という場合には、冷水のみならず、加温されたお湯も含むものとする。
【００１７】
床部６において、浴槽１との境界部近傍には、排水管１２に連通する排水口（図１では、着脱自在の蓋１４で塞がれている）が形成されている。排水口が設けられた部分は窪んでおり、床部６の表面には、排水口に向けて下向き傾斜した排水勾配が付けられている。なお、浴槽１の底部に設けられた図示しない排水口も、排水管１２に接続されている。
【００１８】
壁パネル８は、浴室ユニット１００の４面を構成しており、第１〜第８の壁パネル１６〜３０を有する。隣接する壁パネルの間には、隣接する壁パネル同士を連接する壁面接続用の支柱部材３２が床部６の外周部３４に立設されている。
【００１９】
第１の壁パネル１６は、床部６において浴槽１とは反対側に配置されている。第２の壁パネル１８及び第３の壁パネル２０は、第１の壁パネル１６と直交し、互いに対向して配置されている。第４〜第６の壁パネル２２〜２６は、浴槽１の縁のうち、床部６側を除く３辺の縁の上に配置されている。第４の壁パネル２２及び第５の壁パネル２４の下側には、浴槽１と第２の壁パネル１８及び第３の壁パネル２０との間をつなぐ第７の壁パネル２８及び第８の壁パネル３０が配置されている。
第１〜第６の壁パネル１６〜２６は金属製壁パネルであり、第７〜８の壁パネル２８〜３０は樹脂製浴槽エプロン部固定用壁パネルとなっている。第１〜第８の壁パネル１６〜３０はそれぞれ支柱部材３２（図３参照）により取り付けられている。
【００２０】
なお、本発明における壁パネル８は、これだけに限定されず、１枚のパネルが複数パネルに分割されている構成や、隣接する複数枚のパネルが一体化されている構成であってもよい。  
また、図１に例示した浴室ユニット１００では、第３の壁パネル２０には図示しないドア取付枠を介してドア（図示せず）が設けられている。本発明では、このドア取付枠も壁パネル８に含まれるものとする。浴槽１と床部６との境界には、浴槽１における床部６側の側面を覆い隠す浴槽エプロン部（エプロン部）３６が設けられている。
【００２１】
図３は、図２の樹脂製浴槽エプロン部固定用壁パネルである第７の壁パネル２８を示す模式的斜視図である。図３に示すように、第７の壁パネル２８には浴槽エプロン部３６を支えるフランジ部３７が配置されており、浴槽エプロン部３６と接する面には、例えばゴム製の第１のパッキン３８が配置されている。第７の壁パネル２８の下面には、例えばゴム製の第２のパッキン３９が配置されており、床部６に配置された立ち上がり部４０（図４参照）と当接する。第７の壁パネル２８の上面には、例えばゴム製の第３のパッキン４１が配置されており、浴槽１のリム部分の下面と当接する。
【００２２】
図４は、図２の浴槽エプロン部３６を外した状態の第７の壁パネル２８周辺を拡大して示す模式的斜視図である。第７の壁パネル２８にはフランジ部３７が配置され、浴槽エプロン部３６との間に配置された第１のパッキン３８はフランジ部３７と浴槽エプロン部３６とに押しつぶされ、浴槽エプロン部３６から外に水が漏れないよう止水している。
【００２３】
図５は、図４を正面から見た模式的正面図である。第２のパッキン３９は床部６の立ち上がり部４０と、第２の壁パネル２８と、により押し潰され、外に水が漏れないよう止水している。浴槽１のリム部分の下面と第７の壁パネル２８に配置されたフランジ部３７の上面の間には、第３のパッキン４１が配置されており、浴槽１と第７の壁パネル２８との間の隙間から外に水が漏れないよう止水している。第７の壁パネル２８に配置されたフランジ部３７は第２のパッキン３９を挟み、床部６に配置された立ち上がり部４０に接している。
【００２４】
フランジ部３７は浴槽１の下面から垂直に床部６に伸びている。フランジ部３７が垂直になっていることで、浴槽エプロン部３６が垂直になり、浴槽エプロン部３６を清掃する際に手首を反すことなく拭き掃除が出来、清掃性を維持している。
【００２５】
図６は、支柱部材３２に取り付けられた樹脂製の第７の壁パネル２８と隣接する金属製の第２の壁パネル１８との接合部を示す模式的断面図である。
支柱部材３２は、金属製である第２の壁パネル１８及び樹脂製浴槽エプロン部固定用壁パネルである第７の壁パネル２８の隣接部の裏側に位置する奥面部４３と、奥面部４３からそれぞれの壁パネル側に向けて延出する一対の側面部４４により中空柱状に形成されている。
【００２６】
金属製である第２の壁パネル１８及び樹脂製浴槽エプロン部固定用壁パネルである第７の壁パネル２８は、側端部５４を浴室に臨む面の反対側に折り曲げてなる突部４５と、突部４５の先端に続いて設けられて突部の外側に向かって折り曲げられた屈曲部５２と、屈曲部５２に続いて設けられてそれぞれの壁パネル側に向けて延出する突部４５の外側に折り曲げられた延出部４７と、を有している。
【００２７】
第２の壁パネル１８の裏には第２の壁パネル１８よりも小さいサイズの石膏ボード製補強材４８が貼り付けられており、この石膏ボード製補強材４８によって、第２の壁パネル１８の強度を補強している。第２の壁パネル１８及び第７の壁パネル２８と支柱部材３２の間には、中心部分にひれ部４９を持つ樹脂製の止水材（パネルジョイナー）５０が配置され、支柱部材３２の側面部４４と第２の壁パネル１８と第７の壁パネル２８の延出部４７とに挟まれることで固定されている。このとき、第２の壁パネル１８と第７の壁パネル２８と、に緩衝材５０のひれ部４９とが密着することで、第２の壁パネル１８と第７の壁パネル２８と、の間から浸入した水を浴室ユニット１００の外に漏らさないよう止水している。第２の壁パネル１８と、第７の壁パネル２８の隙間から入り、ひれ部４９で止水された水は重力により床部６に達すると浴室ユニット１００内に排出され、外に漏れることはない。また、第２の壁パネル１８と第７の壁パネル２８の裏側で止水することで、止水材が浴室ユニット１００の内側に見えることが無く、意匠性を維持し、かつ、溝が少ないことで、汚れの付着を軽減することが出来る。
【００２８】
第２の壁パネル１８及び第７の壁パネル２８は、支柱部材３２の一対の側面部４４からそれぞれの延出部４７が近づき合う方向へ押圧する力を受け、その結果、それぞれの突部４５が近づき合う方向へ押圧され、当接することで、支柱部材３２に取り付けられている。また、このとき、それぞれ屈曲部５２は、突部４５と延出部４７とが離れるように弾性力を発揮することにより、それぞれの壁パネルを支柱部材３２に取り付ける。このとき、第７の壁パネル２８の厚さＤ１は、第２の壁パネル１８の厚さＤ２より、大きい。その結果、第７の壁パネル２８の側端部５４は、第２の壁パネル１８の側端部５４より、厚く形成されている。このため、第２の壁パネル１８及び第７の壁パネル２８の延出部４７が支柱部材３２の側面部４４からそれぞれの延出部４７が近づき合う方向、即ち第２の壁パネル１８及び第７の壁パネル２８が当接し合う位置に向かう方向に力を受けた際に、第７の壁パネル２８の突部４５が第２の壁パネル１８の突部４５と支柱部材３２の側面部４４との間で押しつぶされ、屈曲部５２が破損してしまうことを抑制することができる。また、このことにより、第７の壁パネル２８を樹脂製とすることができるため、第７の壁パネル２８に浴槽エプロン部３６が接続された際の衝撃によって大きな衝撃音が発生してしまう恐れがない。
【００２９】
第７の壁パネル２８は、第７の壁パネル２８の側端部５４と略均一の厚さで形成されている。このことより、第７の壁パネル２８の厚みを部分的に変更する必要がなく、製造しやすい。なお、本実施形態における「略均一の厚さ」とは、例えば誤差が５ミリメートル（ｍｍ）以内のものである。
【００３０】
支柱部材３２の１対の側面部４４において、第７の壁パネル２８側の側面部４４は、第２の壁パネル１８側の側面部４４よりも、奥面部４３からの長さが短く形成されている。言い換えると、支柱部材３２において、第７の壁パネル２８側の側面部４４の奥面部４３からの長さＤ３は、第２の壁パネル１８側の側面部４４の奥面部４３からの長さＤ４より、大きい。即ち第７の壁パネル２８の延出部４７を押圧する側面部４４は、第２の壁パネル１８の延出部４７を押圧する側面部４４より、前方にある壁パネル１８、２８より離れた位置にある。このことより、第７の壁パネル２８を第２の壁パネル１８より厚く形成した際にも、第２の壁パネル１８より浴室ユニット１００側へ大きく突出してしまうことを防ぐことができる。その結果、第２の壁パネル１８及び第７の壁パネル２８の表面は面一となる。
【００３１】
以上より、本発明の一実施形態においては、第７の壁パネル２８の屈曲部５２及び延出部４７は、第２の壁パネル１８の屈曲部５２及び延出部４７より、厚く形成されたため、第７の壁パネル２８の屈曲部５２及び延出部４７の剛性が高くなり、第７の壁パネル２８の延出部４７が第２の壁パネル１８の延出部４７へ近づく方向へ押圧する力（押圧力）を受けた際に、受けた押圧力を突部６へ伝えやすくなるため、第７の壁パネル２８の突部６が、第７の壁パネル２８の延出部４７に近づく方向へ傾いてしまうことを抑制する。その結果、第７の壁パネル２８の延出部４７が側面部４４から押圧された際にも、樹脂製の第７の壁パネル２８の側端部５４が金属製の第２の壁パネル１８の突部６と支柱部材３２の側面部４４との間で押しつぶされにくくなり、第７の壁パネル２８の屈曲部５２が破損してしまうことを抑制できる。また、このことにより、第７の壁パネル２８を樹脂製とすることができるため、第７の壁パネル２８に浴槽１のエプロン部３６が接続された際の衝撃によって大きな衝撃音が発生してしまう恐れがない。さらに、このことより、第７の壁パネル２８全体を樹脂製とすることができるため、例えば金属で成形した第７の壁パネル２８を部分的に樹脂製のものにするような必要がなく、金属部分と樹脂部分との間に止水のためのコーキング作業等を行うことがないため、新たに手間やコストが掛かることがない。
【００３２】
なお、本発明の一実施形態においては、第２の壁パネル１８及び第７の壁パネル２８の取り付け構造について説明したが、第３の壁パネル２０及び第８の壁パネル３０の取り付け構造においても、同様の構成にて行われる。
【００３３】
以上、本発明の一実施形態について説明した。しかし、本発明はこれらの記述に限定されるものではない。
【００３４】
本発明の一実施形態において、浴槽バスエプロン３６および、第７の壁パネルのフランジ部３７は垂直に形成されたものであったが、本発明はそれに限らず、浴槽バスエプロン３６および、第７の壁パネル２８のフランジ部３７が、下に向かうにつれ浴槽１側へ傾斜するように形成されるものでも良い。この形態では、フランジ部３７と浴槽エプロン部３６とが浴槽１側へ傾斜することで、浴槽１の意匠性に自由度をもたせられるとともに、床部６が広く見え、浴室ユニット１００内を広々と感じることが出来る。
【００３５】
本発明の一実施形態において、止水材５０は中心部にひれ部４９を有し、第２の壁パネル１８と第７の壁パネル２８とに密着することで、止水するものであったが、本発明はそれに限らず、第２の壁パネル１８と第７の壁パネル２９と止水材５０との間に軟質製のパテなどが充填され止水するものであっても良い。この形態では、第２の壁パネル１８と第７の壁パネル２８と、止水材５０との密着性をあげ、更なる止水効果が得られ、震災等で浴室ユニット１００が多少歪んだ場合でも止水性を維持する。また、本発明においては、止水材５０を設けないものも、権利範囲に含まれるものとする。
【００３６】
前述の実施の形態に関して、当業者が適宜設計変更を加えたものも、本発明の特徴を備えている限り、本発明の範囲に包含される。例えば、浴室ユニット１００などが備える各要素の形状、寸法、材質、配置などや、浴室ユニット１００の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００３７】
１ 浴槽
２ 浴室洗い場
４、１０ 支持脚
６ 床部
８ 壁パネル
１２ 排水管
１４ 蓋
１６ 第１の壁パネル（金属製壁パネル）
１８ 第２の壁パネル（金属製壁パネル）
２０ 第３の壁パネル（金属製壁パネル）
２２ 第４の壁パネル（金属製壁パネル）
２４ 第５の壁パネル（金属製壁パネル）
２６ 第６の壁パネル（金属製壁パネル）
２８ 第７の壁パネル（樹脂製浴槽エプロン部固定用壁パネル）
３０ 第８の壁パネル（樹脂製浴槽エプロン部固定用壁パネル）
３２ 支柱部材
３４ 外周部
３６ 浴槽エプロン部（エプロン部）
３７ フランジ部
４０ 立ち上がり部
３８ 第１のパッキン
３９ 第２のパッキン
４１ 第３のパッキン
４３ 奥面部
４４側面部
４５ 突部
４７延出部
４８ 石膏ボード製補強材
４９ ひれ部
５０ 止水材（パネルジョイナー）
５２ 屈曲部
５４ 側端部
１００浴室ユニット
Ｓ 浴室設置面
【図１】
2016160605.tif 000003
【図２】
2016160605.tif 000004
【図３】
2016160605.tif 000005
【図４】
2016160605.tif 000006
【図５】
2016160605.tif 000007
【図６】
2016160605.tif 000008